(57)【要約】【課題】美容装置において、皮膚を加熱しつつも、角栓を吸引することにある。【解決手段】ＲＦ電極２１，２２を通じた高周波電流により皮膚は加熱される。高周波電流は角栓及び毛穴を含む皮膚の深部を比較的高速で加熱することができるため、角栓の溶解に好適である。高周波電流の供給と同時にポンプ１３が駆動することで、吸引ノズル１８内の空気が吸引されて角栓及び毛穴を含む皮膚が吸引ノズル１８の内部で吸引口１９側に吸引される。ここで、ＲＦ電極２１，２２は、吸引された皮膚の外周を覆うように吸引ノズル１８の嵌合穴１８ａに嵌め込まれている。このため、ＲＦ電極２１，２２が吸引口１９を通じた皮膚の吸引を阻害することなく、毛穴から角栓を抜き出すだけの吸引力を確保することができる。これにより、加熱や吸引による美容効果に加えて、角栓を吸引することができる。【選択図】図２
2011194174.tif 000002
【特許請求の範囲】
【請求項１】
吸引ポンプの駆動によって吸引ノズルの内部の排気を通じて皮膚を吸引する美容装置において、
前記吸引ノズル内に吸引される皮膚の外周に沿って形成される加熱部を備えた美容装置。
【請求項２】
請求項１に記載の美容装置において、
前記加熱部は前記吸引ノズルの先端側に設けられている美容装置。
【請求項３】
請求項１又は２に記載の美容装置において、
前記加熱部の皮膚に接触する先端側の面積は、同加熱部の基端側の面積に比して大きく形成される美容装置。
【請求項４】
請求項２又は３に記載の美容装置において、
前記加熱部は前記吸引ノズルの先端部の全周に亘って分散して設けられる美容装置。
【請求項５】
請求項１〜４の何れか一項に記載の美容装置において、
前記加熱部は皮膚に高周波電流を供給する複数の電極であって、
前記複数の電極は、前記吸引ノズル内に皮膚が吸引された状態において皮膚に接触する位置に設けられる美容装置。
【請求項６】
請求項１〜４の何れか一項に記載の美容装置において、
前記加熱部は熱及び光の少なくとも何れか一方を通じて皮膚を加熱する美容装置。
【発明の詳細な説明】
【技術分野】
【０００１】
この発明は、美容装置に関する。
【背景技術】
【０００２】
従来、美容の分野において、高周波電流を肌に与えることで美容効果が得られることが知られている。この原理を利用した美容装置として、例えば、特許文献１に示される構成が採用されている。この美容装置は、図８に示すように、ユーザの肌に当てられる筒体１０２を備えている。この筒体１０２の内部の中央には、高周波ヘッド１０３が設けられている。この高周波ヘッド１０３の下面には皮膚に高周波電流を供給する電極１０１が嵌め込まれている。筒体１０２の内部空間は、装置の内部に延びる送気管１０５と連通している。具体的には、筒体１０２内における高周波ヘッド１０３に隣接した位置に送気管１０５の一端が接続されることで、その位置に吸引口１０８が形成されている。送気管１０５の他端は装置の内部においてポンプ１０６に接続されている。ポンプ１０６は、送気管１０５を介して、筒体１０２内の空気を吸引して筒体１０２内を真空状態とする。これにより、皮膚を筒体１０２内における高周波ヘッド１０３側に吸引することができる。このように、皮膚を吸引することでマッサージ効果が得られる。
【０００３】
また、皮膚の吸引時においては、皮膚が電極１０１に接触した状態となる。このとき、装置からの高周波電流が電極１０１を介して皮膚に供給される。これにより、皮膚を加熱することができる。皮膚が加熱されることで、血行が促進されて肌の引き締め等の美容効果が得られる。
【先行技術文献】
【特許文献】
【０００４】
【特許文献１】実用新案登録第３０７９５５４号公報
【発明の概要】
【発明が解決しようとする課題】
【０００５】
ところで、筒体１０２内を真空状態としたとき、皮膚は筒体１０２内の中央に向かうにつれて電極１０１に接近する態様で吸引される。このため、吸引時の皮膚に電極１０１を接触させることを考えると、高周波ヘッド１０３は筒体１０２内の中央部に設置する必要がある。
【０００６】
このように、筒体１０２内の中央部には高周波ヘッド１０３が設けられるところ、吸引口１０８は筒体１０２内の中央に位置する高周波ヘッド１０３の外側に設けざるをえない。この構成においては、ポンプ１０６の吸引力にて吸引口１０８から肌表面の液体や汚れ等を吸引できるものの、吸引口１０８は皮膚から離れた位置にあるため、毛穴に詰まった角栓を吸引するだけの吸引力を発生させることはできなかった。
【０００７】
この発明は、こうした実情に鑑みてなされたものであり、その目的は、皮膚を加熱しつつも、角栓を吸引することができる美容装置を提供することにある。
【課題を解決するための手段】
【０００８】
以下、上記目的を達成するための手段について説明する。
第１の発明は、吸引ポンプの駆動によって吸引ノズルの内部の排気を通じて皮膚を吸引する美容装置において、前記吸引ノズル内に吸引される皮膚の外周に沿って形成される加熱部を備えたことをその要旨としている。
【０００９】
第２の発明においては、前記加熱部は前記吸引ノズルの先端側に設けられていることをその要旨としている。
第３の発明は、前記加熱部の皮膚に接触する先端側の面積は、同加熱部の基端側の面積に比して大きく形成されることをその要旨としている。
【００１０】
第４の発明においては、前記加熱部は前記吸引ノズルの先端部の全周に亘って分散して設けられることをその要旨としている。
第５の発明は、前記加熱部は皮膚に高周波電流を供給する複数の電極であって、前記複数の電極は、前記吸引ノズル内に皮膚が吸引された状態において皮膚に接触する位置に設けられることをその要旨としている。
【００１１】
第６の発明においては、前記加熱部は熱及び光の少なくとも何れか一方を通じて皮膚を加熱することをその要旨としている。
【発明の効果】
【００１２】
本発明によれば、美容装置において、皮膚を加熱しつつも、角栓を吸引することができる。
【図面の簡単な説明】
【００１３】
【図１】第１の実施形態における美容装置の構成を示した断面図。
【図２】第１の実施形態における（ａ）は図１のＡの範囲の拡大図、（ｂ）は（ａ）のＢ−Ｂ線断面図。
【図３】第１の実施形態における美容装置による皮膚の吸引及び加熱態様を示した説明図。
【図４】第２の実施形態における美容装置の吸引ノズル等を示した正面図。
【図５】図４のＣ−Ｃ線断面図。
【図６】第３の実施形態における（ａ）は図１のＡの範囲に相当する部分の拡大図、（ｂ）は（ａ）のＤ−Ｄ線断面図。
【図７】第４の実施形態における美容装置の吸引ノズル等を示した正面図。
【図８】従来の美容装置の断面図。
【発明を実施するための形態】
【００１４】
（第１の実施形態）
以下、本発明にかかる美容装置を具体化した第１の実施形態について図１〜図３を参照して説明する。
【００１５】
図１に示すように、美容装置は、制御装置１１と、ＲＦ（Radio  Frequency）発信機１５と、一対のＲＦ電極２１，２２と、ポンプ１３とを備える。ポンプ１３は、吸引経路２０を介してハウジング３０の外面に設けられた吸引ノズル１８に連結されている。吸引ノズル１８の先端側には、ＲＦ電極２１，２２が設けられている。また、美容装置には、電源回路１７が設けられ、同電源回路１７から制御装置１１、ＲＦ発信機１５及びポンプ１３に電力が供給される。
【００１６】
制御装置１１は、ＲＦ発信機１５に制御信号を出力する。ＲＦ発信機１５は、電源回路１７からの電流を高周波電流（交流電流）に変換するインバータを備える。ＲＦ発信機１５は、制御信号に基づき変換した高周波電流をＲＦ電極２１，２２へ供給する。
【００１７】
ＲＦ電極２１，２２が肌に当てられたとき、皮膚がＲＦ電極２１，２２間を接続する電気的抵抗となる。これにより、ＲＦ発信機１５及びＲＦ電極２１，２２を備えた回路が電気的に閉じて、同回路に高周波電流が流れる。この回路の経路、詳しくは両ＲＦ電極２１，２２間には皮膚が存在するため、皮膚に高周波電流を供給することができる。ここで、皮膚は電気的抵抗として作用する。従って、皮膚にて電気エネルギが熱エネルギとして消費されるため、皮膚を温めて血行や毛穴の開きを促進することができる。
【００１８】
制御装置１１は、ポンプ１３に吸引を要求する旨の制御信号を出力する。このポンプ１３は、制御信号に基づき吸引経路２０を通じて吸引ノズル１８内の空気を吸引する。
また、図１に示すように、美容装置は、ユーザによって操作される電源スイッチ１６を備える。電源スイッチ１６は、図１に示すように、樹脂製のハウジング３０に取り付けられている。電源スイッチ１６が操作されると、その旨の操作信号が制御装置１１に出力される。制御装置１１は、この操作信号に基づき、ＲＦ発信機１５及びポンプ１３に同時、かつ間欠的に制御信号を出力する。これにより、吸引及び高周波電流の供給が同時、かつ間欠的に行われる。制御装置１１は、電源スイッチ１６からの操作信号を再び受けると、ポンプ１３及びＲＦ発信機１５の作動を停止することにより皮膚の吸引及び高周波電流の供給を停止する。
【００１９】
図２（ａ）に示すように、吸引ノズル１８は先端側（図２（ａ）の右側）に向かうにつれて径が小さくなる先細りの円筒状に形成されている。吸引ノズル１８は絶縁体のゴム若しくは樹脂で形成されている。吸引ノズル１８の内部空間は、吸引経路２０を介してポンプ１３と連通している。具体的には、ハウジング３０の側壁３０ａにおいて、吸引ノズル１８の基端側の中央に対応する部分には、吸引経路２０の端部が側壁３０ａを貫通して接続されることで吸引口１９が形成されている。また、吸引経路２０の吸引ノズル１８と反対側の端部はポンプ１３に接続されている。図２（ｂ）に示すように、吸引ノズル１８の先端面における上下両側には嵌合穴１８ａが形成されている。下側の嵌合穴１８ａにはＲＦ電極２１が嵌め込まれて、上側の嵌合穴１８ａにはＲＦ電極２２が嵌め込まれている。各ＲＦ電極２１，２２が嵌合穴１８ａに嵌め込まれた状態において、ＲＦ電極２１，２２及び吸引ノズル１８は一体の円筒状をなす。すなわち、吸引ノズル１８の先端面と両ＲＦ電極２１，２２の先端面とは同一平面上にある。ＲＦ電極２１，２２は、吸引ノズル１８の壁の内部を通ってハウジング３０の側壁３０ａを貫通してハウジング３０の内部に導入される２本の導線３８を介してＲＦ発信機１５に接続されている。
【００２０】
次に、美容装置の使用方法について、その作用とともに説明する。以下の操作はユーザによって行われる。
まず、図３に示すように、皮膚に吸引ノズル１８及びＲＦ電極２１，２２の先端面を接触させる。この状態で、電源スイッチ１６が操作されると、吸引ノズル１８内で吸引口１９側に皮膚が吸引されるとともに、ＲＦ電極２１，２２間の皮膚に高周波電流が供給される。具体的には、皮膚に供給される電流の経路３９は、両ＲＦ電極２１，２２の下面を結ぶ線分を底辺とする略半円弧状に形成される。この電流の経路３９に沿って皮膚が加熱されて加熱領域３５が形成される。この加熱領域３５は皮膚における角質から表皮に亘って形成される。従って、角質及び表皮とともに毛穴に詰まった角栓を加熱することができる。ここで、角栓は加熱されることで溶解する。また、皮膚が加熱されることで血行が促進されて毛穴が開く。これらによって、角栓は毛穴から脱出しやすくなる。さらに、血行促進に伴う肌の引き締め効果が得られる。
【００２１】
また、ポンプ１３が駆動されると、吸引口１９から吸引ノズル１８内の空気が吸引されて同吸引ノズル１８の内部は真空状態となる。このとき、皮膚は吸引ノズル１８の内部で吸引口１９側に吸引される。この吸引により皮膚に刺激が与えられて血行が促進される。この血行促進に伴い、上述と同様に毛穴が開く。また、皮膚は吸引ノズル１８の内部において摘まれた状態となる。摘まれた状態とは、吸引ノズル１８の内部における肌面がその中央、すなわち、吸引口１９に対向する位置に向かうにつれて吸引口１９側に突出した状態である。このとき、毛穴は肌面に向かうにつれてより開いた状態となる。従って、角栓の毛穴からの脱出が容易な状態となる。
【００２２】
以上のような皮膚の吸引及び高周波電流の供給が間欠的に行われる。これにより、角栓が毛穴から脱出しやすい状態となり、所定のタイミングで吸引口１９の吸引力にて角栓を毛穴から抜き出すことができる。毛穴から脱出した角栓は、吸引口１９に吸い込まれて吸引経路２０中をポンプ１３側に移動する。ここで、図１に示すように、吸引経路２０の経路中にはフィルタ３３が設けられている。このフィルタ３３は、空気の通過を許容するとともに、吸引ノズル１８から吸い込んだ角栓等の異物のポンプ１３側への流入を規制して溜め込む。このフィルタ３３に溜まった異物は、所定周期毎に取り除く、若しくはフィルタ３３を新品に交換する必要がある。このように、毛穴からの角栓除去が完了した場合、又は加熱若しくは吸引による美容効果が得られた場合には、電源スイッチ１６の操作を通じて、皮膚の吸引及び高周波電流の供給を停止させる。
【００２３】
このように、美容装置は、加熱や吸引による美容効果に加えて、角栓を吸引することができる。具体的には、ＲＦ電極２１，２２は吸引ノズル１８の嵌合穴１８ａに嵌め込まれている。従って、吸引された皮膚と吸引口１９との間には吸引力を阻害するものがないため、角栓に作用する吸引力を増大させることができる。これにより、毛穴に詰まった角栓を確実に抜き出すことができる。
【００２４】
また、ハウジング３０の側壁３０ａにおける吸引ノズル１８内の中央に吸引口１９を大きく形成することができる。従って、毛穴から抜け出した角栓を確実に吸引口１９から吸い込むことができる。
【００２５】
以上、説明した実施形態によれば、以下の作用効果を奏することができる。
（１）ＲＦ電極２１，２２を通じた高周波電流により皮膚は加熱される。高周波電流は角栓及び毛穴を含む皮膚の深部を比較的高速で加熱することができるため、角栓の溶解に好適である。高周波電流の供給と同時にポンプ１３が駆動することで、吸引ノズル１８内の空気が吸引されて角栓及び毛穴を含む皮膚が吸引ノズル１８の内部で吸引口１９側に吸引される。ここで、ＲＦ電極２１，２２は、吸引された皮膚の外周を覆うように吸引ノズル１８の嵌合穴１８ａに嵌め込まれている。このため、ＲＦ電極２１，２２が吸引口１９を通じた皮膚の吸引を阻害することなく、毛穴から角栓を抜き出すだけの吸引力を確保することができる。これにより、加熱や吸引による美容効果に加えて、角栓を吸引することができる。
【００２６】
（２）ＲＦ電極２１，２２は吸引ノズル１８の先端側に設けられている。従って、吸引ノズル１８の先端側を皮膚に当てた際には、ＲＦ電極２１，２２は確実に皮膚に当たることになる。これにより、皮膚の吸引時には、その吸引された皮膚の角栓を加熱して脱出を促すことができる。
【００２７】
（第２の実施形態）
以下、本発明にかかる美容装置を具体化した第２の実施形態について、図４及び図５を参照して説明する。この実施形態の美容装置は、図１に示す第１の実施形態の美容装置とほぼ同様の構成を備え、ＲＦ電極の数や形状が上記第１の実施形態と異なっている。以下、第１の実施形態との相違点を中心に説明する。
【００２８】
本実施形態における美容装置は、図４に示すように、４つのＲＦ電極４１〜４４を備えている。各ＲＦ電極４１〜４４は、吸引ノズル１８の軸方向からみて吸引口１９を中心として９０度間隔に形成される嵌合穴１８ａに嵌め込まれている。
【００２９】
図５に示すように、各ＲＦ電極４１〜４４の先端側には、外側に略直角に屈曲された当接部４８が形成されている。当接部４８の先端面が皮膚に接触することで、皮膚とＲＦ電極４１〜４４との接触面積が確保される。すなわち、ＲＦ電極４１〜４４に当接部４８が形成されることで、ＲＦ電極４１〜４４の皮膚に接触する先端側の面積は、ＲＦ電極４１〜４４の基端側における前記先端側の面と同一方向の面積より大きく形成される。
【００３０】
ＲＦ電極４１〜４４は、ＲＦ電極４１及びＲＦ電極４３の組み合わせと、ＲＦ電極４２及びＲＦ電極４４の組み合わせとからなる。制御装置１１は、ＲＦ発信機１５を介して両組に交互に高周波電流を供給する。
【００３１】
以上の構成によれば、ＲＦ電極の数が多く、さらに各ＲＦ電極４１〜４４に当接部４８が形成されるため、ＲＦ電極４１〜４４と皮膚との合計の接触面積を増大させることができる。従って、皮膚内において電流が供給される領域が広がる。このため、図５に示すように、ＲＦ電極４１，４３間の皮膚に供給される高周波電流に伴う加熱領域４５も大きくなる。同様に、ＲＦ電極４２，４４間の皮膚にも上記加熱領域４５に直交する加熱領域４６が形成される。従って、より広範囲に亘って皮膚を加熱することができる。
【００３２】
ここで、ＲＦ電極間の距離に応じて皮膚内において高周波電流が到達する最大深さ、ひいては加熱領域の最大深さが決まる。皮膚において、この加熱領域の最大深さとなる位置は、ＲＦ電極間を結ぶ線分の中点に相当する位置となる。本例では、各組のＲＦ電極間の距離は等しく、各組のＲＦ電極を結ぶ線分の中点は何れも吸引口１９に対応する位置で共通する。このため、図５に示すように、両加熱領域４５，４６の最大深さとなる角質の深部及び表皮の浅部に両加熱領域４５，４６が重なった重複領域４７が形成される。従って、毛穴に詰まった角栓の少なくとも一部を重複領域４７に含ませることができる。重複領域４７においては、両加熱領域４５，４６の加熱量が作用するため、加熱量を増大させることができる。これにより、より確実に角栓を溶解させて、角栓の吸引を容易とすることができる。
【００３３】
以上、説明した実施形態によれば、第１の実施形態の（１）及び（２）の作用効果に加え、以下の作用効果を奏することができる。
（３）ＲＦ電極の数が多く、さらにＲＦ電極４１〜４４の先端面が大きく形成されているため、ＲＦ電極４１〜４４と皮膚との合計の接触面積を増大させることができる。従って、ＲＦ電極４１，４３間及びＲＦ電極４２，４４間の皮膚に高周波電流が供給されることに伴う加熱領域４５，４６も大きく形成することができる。また、ＲＦ電極４１〜４４は吸引ノズル１８の先端側の全周に亘って分散して設けられている。これにより、広範囲に亘って皮膚を加熱することができ、加熱される領域に角栓が含まれる可能性が高まるとともに、広範囲において上述した美容効果が得られる。
【００３４】
また、加熱量が大きい重複領域４７を毛穴に詰まった角栓を含むように形成することができる。従って、より確実に角栓を溶解させて、角栓の吸引を行うことができる。
さらに、ＲＦ電極４１〜４４の先端面が大きいため、皮膚が確実にその先端面に接触する。従って、いっそう確実にＲＦ電極４１〜４４と皮膚との接触を介して皮膚を加熱することができる。
【００３５】
（第３の実施形態）
以下、本発明にかかる美容装置を具体化した第３の実施形態について、図６（ａ）及び（ｂ）を参照して説明する。この実施形態の美容装置は、図１に示す第１の実施形態の美容装置とほぼ同様の構成を備え、ＲＦ電極の位置及び形状が上記第１の実施形態と異なっている。以下、第１の実施形態との相違点を中心に説明する。
【００３６】
図６（ａ）に示すように、ＲＦ電極５１，５２は、それぞれ吸引ノズル１８の上下方向における外側において、ハウジング３０の側壁３０ａに設けられている。また、ＲＦ電極５１，５２の先端面は、吸引ノズル１８の先端面と同一面上に形成されている。さらに、図６（ｂ）に示すように、ＲＦ電極５１，５２は、吸引ノズル１８の周面に沿う曲面状に形成されている。
【００３７】
以上、説明した実施形態によれば、以下の作用効果を奏することができる。
（４）ＲＦ電極５１，５２を吸引ノズル１８の外側に構成した場合であっても、吸引ノズル１８を皮膚に接触させたとき、ＲＦ電極５１，５２の先端面は吸引ノズル１８の先端面と同一面上に形成されるため皮膚に接触する。そして、吸引ノズル１８内での皮膚の吸引と同時に、ＲＦ電極５１，５２を介して皮膚を加熱することができる。これにより、第１の実施形態と同様に角栓を吸引することができる。
【００３８】
（第４の実施形態）
以下、本発明にかかる美容装置を具体化した第４の実施形態について説明する。この実施形態の美容装置は、図１に示す第１の実施形態の美容装置とほぼ同様の構成を備え、皮膚を加熱する加熱部が上記第１〜第３の実施形態と異なっている。
【００３９】
まず、第１の実施形態との相違点を中心に説明する。図２（ａ）に示すように、ＲＦ電極２１，２２に替えて電気抵抗の大きい金属からなる２つの発熱部６０が設けられている。また、図１に示すように、ＲＦ発信機１５に替えて、発熱部６０への導線６２を介した電力の供給を許可又は規制するスイッチング回路６１が設けられている。制御装置１１は、スイッチング回路６１を介して、電源回路１７から発熱部６０への電流の供給を制御する。本例では、導線６２は２本の導線（往路及び復路）からなる。すなわち、各導線６２は１つの発熱部６０及びスイッチング回路６１を備えた閉回路を構成する。スイッチング回路６１を介して電源回路１７から電流が発熱部６０に供給されると、抵抗加熱により発熱部６０は発熱する。
【００４０】
図３に示すように、装置の使用時においては、発熱部６０は皮膚に接触させられる。このため、発熱部６０の熱は角質及び表皮に伝達される。このように、発熱部６０からの熱伝達により皮膚を安全に加熱することができる。このため、皮膚の血行が促進されることで、肌の引き締め等の美容効果に加え、毛穴が開くため角栓の吸引を容易とすることができる。
【００４１】
上記同様に第２及び第３の実施形態におけるＲＦ電極５１，５２、４１〜４４を発熱部６０に替え、ＲＦ発信機１５をスイッチング回路６１に替え、１本の導線３８を２本の導線６２に替えることで、上記同様に皮膚が加熱される美容装置を構成することができる。
【００４２】
特に、図４及び図５に示すように、発熱部６０の数を増やすとともに、発熱部６０の先端側に当接部４８を形成し、その先端面を大きく形成することで、皮膚と発熱部６０との接触面積を増やすことができる。また、発熱部６０は吸引ノズル１８の先端側の全周に亘って分散して設けられている。このため、より広い範囲に亘って皮膚を加熱することができる。従って、加熱される領域に角栓が含まれる可能性が高まるとともに、広範囲において上述した美容効果が得られる。
【００４３】
また、図２（ａ）及び図５に示すように、発熱部６０は吸引ノズル１８の先端側に設けられている。このため、発熱部６０における吸引ノズル１８の軸方向の長さを小さくすることができる。従って、吸引ノズル１８の露出面が減少し、この露出面からの放熱を減らすことができる。これにより、皮膚の加熱に係る電力消費を抑制することができる。
【００４４】
また、発熱部６０は熱伝達により皮膚を加熱するため、ＲＦ電極のように２つを１組として設ける必要がなく、美容装置の設計の自由度が向上する。よって、図７に示すように、１つの発熱部６０を吸引ノズル１８の外側に全周に亘って筒状に形成することも可能である。本構成においては、発熱部６０及び導線６２は一組で済むため、装置をよりシンプルに構成することができる。
【００４５】
以上、説明した実施形態によれば、以下の作用効果を奏することができる。
（４）発熱部６０が発熱することで、発熱部６０に接する皮膚が加熱される。これにより、皮膚の血行が促進されることで、肌の引き締めの美容効果に加え、毛穴が開くため角栓の吸引を容易とすることができる。
【００４６】
なお、上記実施形態は、これを適宜変更した以下の形態にて実施することができる。
・上記各実施形態においては、吸引ノズル１８は円筒状に形成されていたが、皮膚を吸引する内部空間を有していれば、円筒に限らず、例えば角筒状に形成されてもよい。
【００４７】
・上記各実施形態において、美容装置の電源は、バッテリ等の内部電源でもよいし、商用電源であってもよい。
・上記各実施形態においては、ＲＦ電極は吸引ノズル１８の外側若しくは先端側に設けられていた。しかし、ＲＦ電極は、吸引ノズル１８内に吸引された皮膚の外周に位置するのであれば、吸引ノズル１８の内側に設けてもよい。これは、ＲＦ電極が吸引ノズル１８内に吸引された皮膚の外周に存在すれば、ＲＦ電極によって皮膚の吸引、ひいては角栓の吸引が阻害されないからである。
【００４８】
・第１〜第３の実施形態においては、皮膚を加熱する加熱部はＲＦ電極であり、第４の実施形態においては、加熱部は発熱部６０であった。しかし、皮膚を加熱可能であれば、加熱部はこれらに限らず、例えば、ハロゲンランプやＬＥＤ（発光ダイオード）等の光源からの光で皮膚を加熱してもよい。この場合であっても、光源は、吸引ノズル１８内に吸引された皮膚の外周に設けられる。光源で加熱する場合、光源と皮膚とを接触させる必要はないため、例えば、図６（ａ）において、ハウジング３０の側壁３０ａを基準として光源は吸引ノズル１８より低い位置に存在していてもよい。このようにしても、吸引ノズル１８と接触する皮膚周辺に光を照射することができる。また、上記ＲＦ電極、発熱部６０及び光源を適宜組み合わせて構成してもよい。
【００４９】
・第１及び第３の実施形態においては２つのＲＦ電極が設けられ、第２の実施形態においては４つのＲＦ電極が設けられていたが、ＲＦ電極の数は複数であればこれらに限定されない。例えば、第２の実施形態において、図４に示したＲＦ電極４１，４３を省略して構成した場合であっても、ＲＦ電極４２，４４には当接部４８が形成されることで、皮膚とＲＦ電極４２，４４との接触面積を確保することができ、広範囲に亘って皮膚を加熱することができる。
【００５０】
また、例えば、第１の実施形態において、一方のＲＦ電極２１を吸引ノズル１８の嵌合穴１８ａに設け、他方のＲＦ電極２２をハウジング３０の外面に設けてもよい。この場合、ＲＦ電極２２はユーザが美容装置を把持したとき、手の皮膚に接触する位置に設けられる。ＲＦ電極２２に手の皮膚が接触した状態において、ＲＦ電極２１を施術対象の皮膚に当てることで、ＲＦ電極２１，２２間に高周波電流が供給される。よって、皮膚を加熱することができる。また、施術対象に当てられるＲＦ電極２１を大きく形成することも可能である。これにより、肌とＲＦ電極２１との接触面積がより確保される。
【００５１】
・第１〜第４の実施形態においては、電源スイッチ１６が操作されることで、皮膚の吸引及び加熱が同時に行われていた。しかし、美容装置は、操作により皮膚が加熱されるスイッチと、操作により間欠的な吸引によるマッサージが開始されるスイッチとを備えていてもよい。この場合、両スイッチが操作されることで、上述した加熱及び吸引による美容効果が得られる。また、吸引によるマッサージ及び加熱の何れか一方を利用することも可能となる。
【００５２】
・第１〜第３の実施形態においては、高周波電流を皮膚に供給していたが、低周波電流であってもよい。
【符号の説明】
【００５３】
１１…制御装置、１３…ポンプ、１８…吸引ノズル、２１，２２、４１〜４４、５１，５２…ＲＦ電極、６０…発熱部。
【図１】
2011194174.tif 000003
【図２】
2011194174.tif 000004
【図３】
2011194174.tif 000005
【図４】
2011194174.tif 000006
【図５】
2011194174.tif 000007
【図６】
2011194174.tif 000008
【図７】
2011194174.tif 000009
【図８】
2011194174.tif 000010